(57)【要約】【課題】一対の透明板の取付け・取外し性に優れると共に、接着剤を用いなくても、一対の透明板の位置を正確に規定することができる遊技機の透明板ユニットを提供すること。【解決手段】遊技機の透明板ユニット１は、互いに対向する一対の透明板２、３を保持してなり、一方の透明板２を保持する一方の部材４と、他方の透明板３を保持する他方の部材５とを備えている。一方の部材４には、他方の透明板３に当接して弾性変形する弾性部４２が設けてある。透明板ユニット１は、弾性部４２の弾性変形力によって一対の透明板２、３の位置を規定して、一方の部材４と他方の部材５とを組み付けてなる。【選択図】図１
2012019963.tif 000002
【特許請求の範囲】
【請求項１】
互いに対向する一対の透明板を保持してなる遊技機の透明板ユニットにおいて、
一方の透明板を保持する一方の部材と、他方の透明板を保持する他方の部材とを備え、
上記一方の部材又は上記他方の部材には、上記他方の透明板に当接して弾性変形する弾性部が設けてあり、
該弾性部の弾性変形力によって上記一対の透明板の位置を規定して、上記一方の部材と上記他方の部材とを組み付けてなることを特徴とする遊技機の透明板ユニット。
【請求項２】
請求項１に記載の遊技機の透明板ユニットにおいて、上記一方の部材は、上記一方の透明板の略全周において、上記一方の透明板を内側面及び外側面から挟み込んで保持する挟持部と、上記弾性部とを設けてなり、
該弾性部は、上記他方の透明板の内側面に当接して弾性変形するよう構成してあり、
上記他方の部材は、上記他方の透明板の略全周において、上記他方の透明板の外側面に当接して該他方の透明板を保持する受け部を設けてなることを特徴とする遊技機の透明板ユニット。
【請求項３】
請求項２に記載の遊技機の透明板ユニットにおいて、上記一方の部材は、上記挟持部と上記弾性部とこれらを連結する本体部とを、弾性を有する部材から一体的に形成してなることを特徴とする遊技機の透明板ユニット。
【請求項４】
請求項１〜３のいずれか一項に記載の遊技機の透明板ユニットにおいて、上記一方の部材は、上記他方の部材の内周側に配設してあり、
上記一方の部材と上記他方の部材とは、いずれか一方に設けた係合部と、他方に設けた被係合部との係合機構によって組み付けられていることを特徴とする遊技機の透明板ユニット。
【請求項５】
請求項４に記載の遊技機の透明板ユニットにおいて、上記他方の部材は、周方向の１箇所又は複数箇所で切断した形状に形成してあり、切断部分に設けた締付部を締め付けて、上記他方の透明板を保持するよう構成してあることを特徴とする遊技機の透明板ユニット。
【発明の詳細な説明】
【技術分野】
【０００１】
本発明は、遊技機の前面側に配設する透明扉を構成する透明板ユニットに関する。
【背景技術】
【０００２】
パチンコ遊技機等の遊技機においては、遊技機の前面側に配設するガラス扉のガラスユニットを、防犯性の向上、強度の向上、静音性の向上等を目的として、２枚のガラス板を用いて構成している。
例えば、特許文献１に記載の遊技機におけるガラスユニットは、額縁状に形成した枠体の開口部に対して、この開口部を塞ぐよう２枚のガラス板を積層した状態で接着剤によって保持してなる。このガラスユニットの枠体は、２枚のガラス板の外縁端面の全周に外周側から対向する縁取り部と、縁取り部の内周側に垂直に設けてガラス板の表面に対向する保持部とから構成されている。そして、保持部に施工した接着剤によって、２枚のガラス板を枠体に接着している。
【先行技術文献】
【特許文献】
【０００３】
【特許文献１】特開２０１０−８２３７９号公報
【発明の概要】
【発明が解決しようとする課題】
【０００４】
しかしながら、特許文献１のガラスユニットに代表されるように、ガラス板を保持するために接着剤を用いる場合には、接着剤の塗布装置が必要になり、また、接着性を向上させるために、ガラス板又は枠体に表面処理が必要になったりする。さらに、接着剤が硬化するまでに所定の時間を要する。そのため、生産性、コストの面であまり優れない。
【０００５】
本発明は、かかる従来の問題点に鑑みてなされたもので、一対の透明板の取付け・取外し性に優れると共に、接着剤を用いなくても、一対の透明板の位置を正確に規定することができる遊技機の透明板ユニットを提供しようとするものである。
【課題を解決するための手段】
【０００６】
本発明は、互いに対向する一対の透明板を保持してなる遊技機の透明板ユニットにおいて、
一方の透明板を保持する一方の部材と、他方の透明板を保持する他方の部材とを備え、
上記一方の部材又は上記他方の部材には、上記他方の透明板に当接して弾性変形する弾性部が設けてあり、
該弾性部の弾性変形力によって上記一対の透明板の位置を規定して、上記一方の部材と上記他方の部材とを組み付けてなることを特徴とする遊技機の透明板ユニットにある（請求項１）。
【発明の効果】
【０００７】
遊技機の透明板ユニットは、一方の透明板を保持する一方の部材と他方の透明板を保持する他方の部材とを組み付ける構成を有している。
そして、一方の部材又は他方の部材には、他方の透明板に当接して弾性変形する弾性部が設けてある。これにより、透明板ユニットを組み付けた状態においては、弾性部の弾性変形によって他方の透明板を押圧する力を作用させることができ、接着剤を用いなくても、一対の透明板の位置を正確に規定することができる。
さらに、接着剤を用いていないことにより、透明板ユニットを分解して、一対の透明板を容易に取り外すことができる。
【０００８】
それ故、本発明の遊技機の透明板ユニットによれば、一対の透明板の取付け・取外し性に優れると共に、接着剤を用いなくても、一対の透明板の位置を正確に規定することができる。
【図面の簡単な説明】
【０００９】
【図１】実施例１における、透明板ユニットの主要断面を拡大して示す断面説明図。
【図２】実施例１における、透明板ユニットを配設した透明扉を本体枠に対して閉じた状態を示す断面説明図。
【図３】実施例１における、透明板ユニットを配設した透明扉を正面から見た状態で示す説明図。
【図４】実施例１における、透明板ユニットを正面から見た状態を、係合突起の形成箇所で切断した断面で示す説明図。
【図５】実施例２における、他方の部材を１本の長尺形状の部材から形成した場合を示す断面説明図。
【図６】実施例２における、透明板ユニットの主要断面を拡大して示す断面説明図。
【図７】実施例３における、透明板ユニットの主要断面を拡大して示す断面説明図。
【発明を実施するための形態】
【００１０】
上述した本発明の遊技機の透明板ユニットにおける好ましい実施の形態につき説明する。
本発明において、上記一方の部材と上記他方の部材は、いずれも樹脂材料（高分子物質を含む。）から構成することができる。これらは、樹脂の射出成形、押出成形等を行って形成することができる。
また、上記弾性部を上記一方の部材に形成する場合には、該一方の部材を構成する樹脂材料は、上記他方の部材を構成する樹脂材料よりも硬度が低いものとすることができる。
また、上記一方の透明板及び上記他方の透明板は、いずれもガラス板から構成することができる。また、これらの透明板は、透明の樹脂から構成することもできる。
【００１１】
また、上記一方の部材及び上記他方の部材がそれぞれ上記一方の透明板又は上記他方の透明板を保持する構造とは、例えば保持構造が挟持構造である場合には、各部材が、各透明板を挟み込む挟持形状の全体を有する場合のみならず、一方側の部材が挟持形状の一方側部分を有し、透明板ユニットを組み付けた際に他方側の部材によって挟持形状の他方側部分を形成する場合も含む。
【００１２】
また、上記一方の部材は、上記一方の透明板の略全周において、上記一方の透明板を内側面及び外側面から挟み込んで保持する挟持部と、上記弾性部とを設けてなり、該弾性部は、上記他方の透明板の内側面に当接して弾性変形するよう構成してあり、上記他方の部材は、上記他方の透明板の略全周において、上記他方の透明板の外側面に当接して該他方の透明板を保持する受け部を設けてなることが好ましい（請求項２）。
この場合には、一方の部材の略全周に挟持部及び弾性部を設け、他方の部材の略全周に、保持構造の一部として構成される受け部を設けることによって、一対の透明板の保持を安定させ、一対の透明板による防音性及び密着性を適切に確保することができる。
【００１３】
また、一方の部材の挟持部に一方の透明板を保持すると共に、他方の部材の受け部に他方の透明板を配置し、この他方の部材に対して、一方の透明板を保持した一方の部材を組み付けることによって、透明板ユニットの組付を極めて容易に行うことができる。
ところで、接着剤を使用する場合などには、接着剤を一対の透明板に対してそれぞれ塗布するために、透明板を表裏反転させる作業が必要であった。これに対し、一対の部材を用いた一対の透明板の保持構造により、透明板を表裏反転させる作業が不要になり、組付性の向上を図ることができる。
【００１４】
また、上記一方の部材は、上記挟持部と上記弾性部とこれらを連結する本体部とを、弾性を有する部材から一体的に形成してなることが好ましい（請求項３）。
この場合には、一方の部材の成形が容易であり、射出成形、押出成形等によって容易に成形することができる。
また、一方の部材の全体を弾性を有する部材で形成することにより、球流下等によって一対の透明板に発生する不要な振動を適切に吸収、減衰させることができる。これにより、透明板ユニットによる防音性を更に向上させることができる。
【００１５】
また、上記一方の部材は、上記他方の部材の内周側に配設してあり、上記一方の部材と上記他方の部材とは、いずれか一方に設けた係合部と、他方に設けた被係合部との係合機構によって組み付けられていることが好ましい（請求項４）。
この場合には、一方の部材と他方の部材との配置関係が適切であり、係合部と被係合部との係合機構により、一方の部材と他方の部材とを安定して組み付けることができる。
【００１６】
また、上記他方の部材は、周方向の１箇所又は複数箇所で切断した形状に形成してあり、切断部分に設けた締付部を締め付けて、上記他方の透明板を保持するよう構成してあることが好ましい（請求項５）。
この場合には、透明板ユニットを分解する際に、他方の部材を取り外すことが容易であり、透明板ユニットのリサイクル性を向上させることができる。また、締付部による締付け構造により、他方の部材を用いて一方の部材と他方の透明板とをより確実に固定することができる。
【実施例】
【００１７】
以下に、本発明の遊技機の透明板ユニットに係る実施例につき、図面を参照して説明する。
（実施例１）
本例の遊技機１０の透明板ユニット１は、図１に示すごとく、互いに対向する一対の透明板２、３を保持してなり、一方の透明板２の外周部２１を保持する一方の部材４と、他方の透明板３の外周部３１を保持する他方の部材５とを備えている。
一方の部材４には、他方の透明板３に当接して弾性変形する弾性部４２が設けてある。透明板ユニット１は、弾性部４２の弾性変形力によって一対の透明板２、３の位置を規定して、一方の部材４と他方の部材５とを組み付けてなる。
【００１８】
以下に、本例の遊技機１０の透明板ユニット１につき、図１〜図４を参照して詳説する。
図２、図３に示すごとく、本例の透明板ユニット１は、樹脂から構成した透明扉用枠７１に配設して透明扉７を形成するものである。透明扉７は、遊技盤６１を配設した本体枠６の前面側に開閉可能に配設するものである。また、透明板ユニット１は、透明扉用枠７１に対し、その後方から取り付けるよう構成してある。
透明扉７の下方には、賞球等によって払い出した遊技球を貯留する球皿パネル７２が配設されている。
【００１９】
本例の透明板ユニット１は、一方の透明板２を遊技者側に位置させ、他方の透明板３を遊技盤６１側に位置させて、透明扉用枠７１に配設する。図１、図２において、遊技者側（前方側）を矢印Ｆで示す。
図４に示すごとく、他方の部材５（透明板ユニット１）の下辺部には、透明扉用枠７１に設けた取付け穴に挿入配置する挿入突起５４が形成してある。また、他方の部材５の両側の上方角部には、透明扉用枠７１の裏面に設けた係止部材６２によって係止する被係止部５３が設けてある。また、他方の部材５の上辺部には、作業者が把持することができる取手部５５が設けてある。
【００２０】
図１に示すごとく、一方の部材４は、一方の透明板２の略全周において、一方の透明板２を内側面２０１及び外側面２０２から挟み込んで保持する挟持部４３と、他方の透明板３に向けて突出する弾性部４２と、挟持部４３と弾性部４２とを連結する本体部４１とを、弾性を有する部材から一体的に形成してなる。弾性部４２は、他方の透明板３の内側面３０１に当接して弾性変形するよう構成してある。
また、他方の部材５は、他方の透明板３の略全周において、他方の透明板３の外側面３０２に当接して他方の透明板３を保持する受け部５２を設けてなる。ここで、受け部５２は、他方の透明板３を保持する（挟持する）ための構造の一部分として形成されている。他方の部材５は、一方の部材４の外周側に配置する本体部５１と、この本体部５１に対する他方の透明板３側の端部において内周側に突出した受け部５２とから構成されている。
【００２１】
本例の各透明板２、３は、いずれも透明なガラス板からなる。
一方の部材４は、弾性変形可能な高分子物質であるエラストマー部材から構成してあり、他方の部材５は、エラストマー部材よりも硬質の樹脂（熱可塑性樹脂等）から構成してある。一方の部材４及び他方の部材５は、いずれもエラストマー部材又は樹脂の射出成形を行って形成することができる。また、エラストマー部材は、硬度が略７０〜１００度の特性を有するもので形成されている。
また、一方の部材４は、エラストマー部材の押出成形を行って形成することもできる。この場合には、規定の定尺寸法の押出材として一方の部材４を押出成形し、押出材の端部同士を突き合わせて一方の透明板２の外周に組み付けることができる。
【００２２】
また、一方の部材４を、一方の透明板２の外周部２１の全周の長さよりも短い所定の長さを有する複数のパーツとして形成し、この複数のパーツを一方の透明板２の外周部２１の適宜箇所に取り付けることもできる。また、この場合は、各パーツを射出成形で形成することもできる。
【００２３】
図１に示すごとく、本例の一方の透明板２の外形は、他方の透明板３の外形よりも小さくなっている。また、一方の部材４は、他方の部材５の内周側に嵌入するよう構成してある。
本体部４１は、一方の透明板２と他方の透明板３との間に配置する部分４１６に、一方の透明板２の外周側に配置する部分４１７を連結してなる。
【００２４】
本体部４１は、他方の透明板３の内側面３０１に対向する対向面４１５を形成してなり、透明板ユニット１を組み付けた状態において、対向面４１５と他方の透明板３の内側面３０１との間に微小な間隙Ｓ１が形成されるよう構成してある。
上記弾性部４２の構造及び他方の透明板３の内側面３０１と対向面４１５との間に間隙Ｓ１を形成した構成により、一対の透明板２、３及び一方の部材４によって囲まれた空間Ｓ２の換気を行うことができる。つまり、空間Ｓ２内の圧力が外気圧よりも一定の圧力だけ高くなったとき又は低くなったときには、弾性部４２の一部が弾性変形して他方の透明板３の内側面３０１から若干離れ（隙間が発生し）、対向面４１５と他方の透明板３の内側面３０１との間の間隙Ｓ１、一方の部材４と他方の部材５との間の微小な隙間、他方の部材５における係合穴５１１を介して、換気を行うことができる。
【００２５】
図１に示すごとく、弾性部４２は、本体部４１の内周側であって他方の透明板３に近い位置から、内周側であると共に他方の透明板３に向けて突出して形成してある。弾性部４２は、対向面４１５よりも他方の透明板３側に突出しており、他方の透明板３の内側面３０１に当接させる曲面状の表面４２１を形成してなる。同図において、変形前の弾性部４２を二点鎖線４２Ａで示す。
【００２６】
挟持部４３は、本体部４１における一方の透明板２に対向する部分に、一方の透明板２の外周部２１を配置する凹部４３１を形成し、この凹部４３１の両側に、一方の透明板２の外側面２０２に配置する外側突起部４３３と、一方の透明板２の内側面２０１に配置する内側突起部４３２とを形成してなる。
内側突起部４３２を形成する側の凹部４３１の側面４３４はテーパ状に形成してあり、一方の透明板２の外周部２１に一方の部材４を取り付け易くしている。
【００２７】
図１に示すごとく、本例の一方の部材４の本体部４１における外周面４１１には、外周側へ突出する係合突起４１２が設けてあり、本例の他方の部材５の本体部５１には、内外周方向に貫通する係合穴５１１が設けてある。図４に示すごとく、係合突起４１２及び係合穴５１１は、各部材４、５の上辺部、下辺部及び両側辺部のそれぞれ複数箇所（本例では２箇所）に形成してある。
係合突起４１２は、他方の透明板３側の端面４１３をテーパ状に形成し、一方の透明板２側の端面４１４を垂直状に形成してなる。そして、他方の部材５の内周側に対して一方の部材４を嵌入するときには、他方の部材５の本体部５１の内周面に対して、係合突起４１２のテーパ状の端面４１３を滑らせ、一方の部材４を弾性変形させながら嵌入することができる。
【００２８】
係合突起４１２の垂直状の端面４１４を係合穴５１１の側壁面５１２に当接させることによって、一方の部材４と他方の部材５との係合状態を維持することができる。また、一方の部材４と他方の部材５とを係合させたときには、弾性部４２に適切な弾性変形力を作用させることができる。
一方の部材４の略全周に挟持部４３及び弾性部４２を設け、他方の部材５の略全周に受け部５２を設けることによって、一対の透明板２、３の保持を安定させ、一対の透明板２、３による防音性及び密着性を適切に確保することができる。
【００２９】
図１に示すごとく、本例の一方の部材４と他方の部材５の係合構造においては、一方の透明板２の外周側に係合突起４１２の一部が位置するよう構成されている。すなわち、係合突起４１２の垂直状の端面４１４の前後方向の位置と、一方の透明板２の内周面２０１の前後方向の位置との間には、幅ａの重なり部が形成されている。これにより、係合突起４１２が内周側へ移動するような負荷が他方の透明板３に作用したときでも、係合突起４１２の背面側（内周面側）が内周側へ所定量移動した後、硬質材で形成された一方の透明板２の側端面に当接しそれ以上の移動が規制されるので、係合突起４１２の形成位置において、一方の部材４が弾性変形し難くなり、係合突起４１２が係合穴５１１から外れ難くすることができる。
【００３０】
また、本例の一方の部材４と他方の部材５の係合構造においては、一方の部材４の本体部４１において、一方の透明板２の外周側に配置する部分４１７の外周面４１１が他方の部材５の内周面に当接していることにより、一方の部材４の挟持部４３が外周側へ広がるように撓もうとしても、この撓みを規制することができる。これにより、一方の透明板２の外周部２１が一方の部材４の挟持部４３から不要に外れないようにすることができる。
【００３１】
また、本例の一方の部材３と他方の部材４の係合構造においては、係合突起４１２の垂直状の端面４１４の左右方向の幅寸法ｂと、一方の透明板２の外周面と一方の部材４の凹部４３１の底面との間の隙間寸法ｃとの関係は、一方の透明板２の寸法公差の範囲内において常にｂ＞ｃの関係にある。これにより、係合突起４１２が内周側へ移動するような負荷が一方の部材３に作用したときでも、挟持部４３の凹部４３１の内周面が硬質材で形成された一方の透明板２の側端面に当接することにより、係合突起４１２が係合穴５１１から不要に外れないようにすることができる。
【００３２】
図２に示すごとく、一方の部材４における外側突起部４３３の遊技者側の表面には、透明扉用枠７１の裏面の隙間Ｓ３を塞ぐ防犯突起４４が設けてある。防犯突起４４は、遊技者側に斜めに突出させてある。防犯突起４４の先端部を透明扉用枠７１の裏面に当接させることにより、透明扉用枠７１と一方の透明板２との間の隙間から透明扉用枠７１の内側にセル板等の不正部材が侵入することを防止することができる。なお、図１においては、防犯突起４４を省略して示す。
【００３３】
遊技機１０の透明板ユニット１は、一方の透明板２を保持する一方の部材４と他方の透明板３を保持する他方の部材５とを組み付ける構成を有している。つまり、一方の透明板２と他方の透明板３とは、一方の部材４と他方の部材５とに予め保持させておくことができ、各透明板２、３を保持した部材４、５同士を組み付けることになる。そのため、一対の透明板２、３の取付けが容易である。
【００３４】
また、本例において、透明板ユニット１の組付を行う際には、他方の部材５をその受け部５２を下側にして作業台に載置し、次いで、他方の部材５の受け部５２の上に他方の透明板３を載置する。その一方、一方の部材４の挟持部４３に一方の透明板２を保持させるように、一方の透明板２の外周部２１に一方の部材４を取り付ける。そして、透明板３を載置した他方の部材５に対して、一方の透明板２を保持した一方の部材４を組み付けることによって、透明板ユニット１の組付を極めて簡単に行うことができる。
ところで、接着剤を使用する場合などには、接着剤を一対の透明板に対してそれぞれ塗布するために、透明板を表裏反転させる作業が必要であった。これに対し、一対の部材４、５を用いた一対の透明板２、３の保持構造により、透明板２、３を表裏反転させる作業が不要になり、組付性の向上を図ることができる。
【００３５】
また、一方の部材４には、他方の透明板３に当接して弾性変形する弾性部４２が設けてある。これにより、透明板ユニット１を組み付けた状態においては、弾性部４２の弾性変形によって他方の透明板３を押圧する力を作用させることができ、接着剤を用いなくても、一対の透明板２、３の位置を正確に規定することができる。
さらに、接着剤を用いていないことにより、透明板ユニット１を分解して、一対の透明板２、３を容易に取り外すことができ、リサイクル性が向上する。
【００３６】
本例の透明板ユニット１によれば、接着剤を用いずに組付を行うことにより、以下のメリットを得ることができる。
まず、接着剤を塗布するための特殊な装置が不要になる。また、透明板（ガラス板）の取付・取外しが容易であるため、遊技機１０のホール側で透明板を準備しておき、透明板の割れ等のトラブルが発生したときに早期に対処することができる。
また、接着剤を使用していないことにより、接着剤（ボンド）のはみ出しや、接着部への気泡、ゴミ等の混入といった不良現象をなくすことができる。
【００３７】
また、一方の部材４を構成する本体部４１、弾性部４２及び挟持部４３の全体を、弾性を有する部材で形成したことにより、次のメリットを得ることができる。
すなわち、遊技機の遊技において、遊技盤６１上に形成された遊技領域を流下する遊技球Ｒの接触等によって、他方の透明板３に不要な振動が発生したとしても、その振動を弾性部材からなる一方の部材４によって適切に吸収、減衰させることができる。これにより、発生した振動が他方の透明板３から一方の透明板２等に伝達されることを防止することができ、遊技における防音性を向上させることができる。
【００３８】
また、一方の部材４をエラストマー部材から構成したことにより、次のメリットを得ることができる。
弾性部４２に弾性を持たせることが容易であり、接着剤とは違い、弾性部４２による密着機能を用いることにより、一対の透明板２、３の間の間隔を全周に亘って規定の間隔に維持することが容易である。また、エラストマー部材の特性として振動を吸収するため、透明板ユニット１の防音性を更に向上させることができる。
【００３９】
それ故、本例の遊技機１０の透明板ユニット１によれば、一対の透明板２、３の取付け・取外し性に優れると共に、接着剤を用いなくても、一対の透明板２、３の位置を正確に規定することができる。
【００４０】
（実施例２）
本例は、図５に示すごとく、他方の部材５を一方の部材４及び他方の透明板３の外周に巻き付けるよう構成した例である。
本例の他方の部材５は、一箇所に切断部を有する略リング形状の部材（１本の長尺形状の部材）に形成し、この略リング形状の部材を一方の部材４及び他方の透明板３の外周に巻き付けるように配設し、両端に設けた締付部５６同士を締め付けて、他方の透明板３及び一方の部材４を保持するよう構成されている。一方の部材４は、他方の部材５の内周側に配設されている。
各締付部５６は、略リング形状の他方の部材５の一端に形成した一方側締付突起５６１と、略リング形状の他方の部材５の他端に形成し、一方側締付突起５６１に係合する他方側締付突起５６２とによって形成されている。
【００４１】
そして、図５に示すごとく、一方側締付突起５６１と他方側締付突起５６２とを係合させ、これらの周りに帯状の樹脂からなるバンド５７を巻き付けると共に締め付け、緩み止めを行って固定することによって、他方の部材５の組付を行うことができる。バンド５７は、長手方向に緩み止め用の突起を多数配列して形成し、この緩み止め用の突起を形成した端部を差込穴５７１に差し込んで固定するよう構成したタイラップ（登録商標）、インシュロック（登録商標）とすることができる。
なお、バンド５７による締め付け固定は、金具及びビス等を用いて行うこともできる。
【００４２】
一方側締付突起５６１と他方側締付突起５６２とは、締め付け固定後は各透明板２、３の板面方向（周方向）において嵌合機構によって内外周に重なっていることにより（重なり代は５〜１０ｍｍになるよう設定することができる。）、透明板ユニット１を組み付けた後に、他方の部材５の前後方向（一対の透明板２、３が重なる方向）等のズレ、変位等を規制することができる。
【００４３】
図６に示すごとく、本例の一方の部材４における弾性部４２は、他方の透明板３の内側面３０１と対向する本体部４１の対向面４１５に対して設けてある。また、本例の弾性部４２は、本体部４１の対向面４１５の２箇所（複数箇所）に設けてある。本例の弾性部４２は、突起形状に形成されており、その先端側部分が押し潰されることによって弾性変形力（押圧力）を発生させるよう構成されている。
【００４４】
また、一方の部材４において、突起形状の弾性部４２の基端部の外周側近傍には、切欠凹部４２２が形成してある。この切欠凹部４２２の形成により、弾性部４２を外周側へ意図的に倒すことができ、弾性部４２が押し潰されるときに生ずる弾性変形力を、一方の部材４が他方の透明板３に対して外周方向に移動しようとする力として作用させることができる。これにより、一方の部材４及び他方の部材５に対する他方の透明板３の外れ防止を行うことができ、より確実に他方の透明板３を固定することができる。
【００４５】
図６に示すごとく、本例の他方の部材５の本体部５１の内周側には、一方の部材４の本体部４１の外周側に形成した嵌入凹部４１６に嵌入させる嵌入凸部５１２が形成してある。
本例の一方の部材４は、本体部４１に対して嵌入凹部４１６を形成した形状により、この本体部４１と挟持部４３とによって略Ｓ字形状に形成されており、本例の他方の部材５は、本体部５１に対して嵌入凸部５１２を形成した形状により、この本体部５１と受け部５２とによって略Ｆ字形状に形成されている。ここで、上記実施例１と同様に、受け部５２は、他方の透明板３を保持する（挟持する）ための構造の一部分として形成されている。また、嵌入凸部５１２を形成したことにより、他方の部材５自体の強度を向上させることができる。
なお、本例の一方の部材４及び他方の部材５には、上記実施例１に示した係合突起４１２及び係合穴５１１は形成されていない。
【００４６】
本例の嵌入凸部５１２は、一方の透明板２の外周端よりも内周側の位置まで突出している。そして、嵌入凸部５１２と一方の透明板２の外周部２１との間には、前後方向において幅ｄの重なり部が形成されている。これにより、一方の部材４を前方Ｆへ移動させるような負荷が作用したときでも、この一方の部材４の移動を嵌入凸部５１２によって規制することができる。そのため、他方の部材５に対して一方の部材４が前方Ｆへ外れ難くすることができる。
【００４７】
また、他方の部材５における嵌入凸部５１２は、一対の透明板２、３を保持する構造の剛性を向上させるために、本体部５１から部分的に内周側へ高く突出させることができる（図６において、部分的に高く突出させた嵌入凸部５１２の一部を２点鎖線５１２Ａで示す。）。また、嵌入凸部５１２の突出高さに対応して、一方の部材４の本体部４１及び嵌入凹部４１６を内周側に深く形成する。
【００４８】
特に、本例の他方の部材５は、締付部５６を一対の透明板２、３に対する上部に配置しているため、上部においては十分な締付力を発揮することができる。これに対して、一対の透明板２、３に対する下部においては締付力が低下するため、嵌入凸部５１２は、他方の部材４の周方向おける下方の両側の角部に対応する部分を、部分的に内周側へ高く突出させて形成することができる。この部分的に高く突出させる嵌入凸部５１２の部分を図４を使用して、２点鎖線Ｘで示した。
【００４９】
本例においては、透明板ユニット１を分解する際には、ニッパー等でバンド５７を切断することができ、この透明板ユニット１の分解を容易に行うことができ、透明板ユニット１のリサイクル性を向上させることができる。
なお、他方の部材５は、略リング形状の部材（１本の長尺形状の部材）から構成する以外にも、複数本の長尺形状の部材から構成することができる。この場合には、他方の部材５の全周における複数箇所をバンド５７で締め付けて固定することができる。
また、締付部５６に対するバンド５７の締め付け位置は、締付部５６の外方外周部以外にも、側方外周部（透明板ユニット１の前後面の箇所）に設けることもできる。
【００５０】
（実施例３）
本例は、図７に示すごとく、一方の部材４に対して弾性部４２を設けるのではなく、他方の部材５に対して弾性部５２１を設けた例である。
本例の一方の部材４は、本体部４１の対向面４１５を他方の透明板３の内側面３０１に当接させるよう構成されている。一方の部材４は、エラストマー部材等の弾性変形可能な材料から構成する必要はなく、熱可塑性樹脂等の樹脂から構成することができる。
【００５１】
本例の弾性部５２１は、他方の部材５における受け部５２の裏面側（内面側）に突出して形成されている。そして、弾性部５２１を他方の透明板の外側面３０２に当接させて押し潰すことにより、弾性部５２１の弾性変形力によって他方の透明板３を一方の部材４に押し当てて、接着剤を用いずに、一対の透明板２、３の位置を正確に規定することができる。なお、一方の部材４と他方の部材５の組付け構造は実施例１と同様である。
本例においても、透明板ユニット１、透明扉用枠７１等の構成は上記実施例１、２のいずれかと同様であり、上記実施例１、２のいずれかと同様の作用効果を得ることができる。
【００５２】
（透明板ユニット１のその他の構成）
上述した透明板ユニット１の各構成部位は、次のようにすることもできる。
一方の部材４は、その弾性部４２のみ又は弾性部４２を含めた周辺をエラストマー部材等の弾性変形可能な弾性部材で形成し、挟持部４３や本体部４１等のそれ以外の部分を熱可塑性樹脂等の硬質性を有する硬質部材で形成して、いわゆる２色成形等で形成することもできる。また、この２色成形等を行う場合には、弾性部４２の周辺のみならず様々な部位を部分的に弾性部材で形成することもできる。
【００５３】
また、一方の部材４と他方の部材５との係合構造は、本例のような係合構造以外にも、適切な組付けを行うことができれば、どのような係合構造にすることもできる。
また、一方の部材４と他方の部材５とは、別途ビス等の固定部材を用いて、より強固に固定するように構成することもできる。
【００５４】
また、一方の部材４の挟持部４３における内側突起部４３２の内周側と外側突起部４３３の内周部との少なくともいずれか一方には、弾性変形可能な突起を設けることができる。この場合には、突起の弾性変形力によって、挟持部４３に挿入される一方の透明板２の固定をより確実に行うことができる。
また、本例の弾性部４２はエラストマー部材で形成されているが、弾性部４２は、これ以外にも、弾性変形可能な板バネ等、材質が異なるものを用いてもよい。また、一方の部材４に限らず、他方の部材５も、弾性変形可能な部材で形成することができる。
【００５５】
また、一方の部材４及び他方の部材５がそれぞれ一方の透明板２又は他方の透明板３を保持する構造は挟持構造に限定されず、一対の透明板２、３を保持可能であれば、嵌合構造、係合構造等の種々の構造とすることができる。また、このような場合においても、一方の部材４及び他方の部材５は、一方の透明板２又は他方の透明板３を保持する構造において、その保持構造の全てを有している必要はなく、また、一対の透明板２、３の全周において同じ保持構造を有している必要もない。例えば、一方の部材４又は他方の部材５によってそれぞれ一方の透明板２又は他方の透明板３を保持する挟持構造に対する周方向の一部分のみを、一方の部材４と他方の部材５との組み合わせによって各透明板２、３を保持するような構造とすることもできる。
【符号の説明】
【００５６】
１  透明板ユニット
１０  遊技機
２  一方の透明板
３  他方の透明板
４  一方の部材
４１  本体部
４１２  係合突起
４２  弾性部
４３  挟持部
５  他方の部材
５１  本体部
５１１  係合穴
５２  受け部
６  本体枠
７  透明扉
【図１】
2012019963.tif 000003
【図２】
2012019963.tif 000004
【図３】
2012019963.tif 000005
【図４】
2012019963.tif 000006
【図５】
2012019963.tif 000007
【図６】
2012019963.tif 000008
【図７】
2012019963.tif 000009